(57)【要約】  本発明は内部にバイオニック構造（５、６）を有するサボ（２）に関する。バイオニック構造は、３Ｄ製造方法によって定められた大きさ、形状及び／又は体積で、かつ、サボ（２）の製造中にサボ（２）の内部の場所的及び数的な埋め込みに関する目的に合わせて製造される。
2019520545.tif 000002
【特許請求の範囲】
【請求項１】
サブキャリバー砲弾（３）用のサボ（２）において、
バイオニック構造（５、６）がサボ（２）内に設けられており、前記バイオニック構造が、前記サボ（２）の製造中に定められた方法及び特別に管理された方法での３Ｄ製造方法によって作られていることを特徴とするサボ。
【請求項２】
前記バイオニック構造（５、６）が、ハニカム、ステイ、ボイド、球状の中空室及びそれらの組合せであることを特徴とする請求項１に記載のサボ（２）。
【請求項３】
前記サボ（２）が、少なくとも２つのサボセグメント（２．１、２．２）からなることを特徴とする請求項１又は２に記載のサボ（２）。
【請求項４】
前記バイオニック構造（５、６）の大きさ、形状及び／又は体積があらかじめ定められることを特徴とする請求項１〜３の何れか一項に記載のサボ（２）。
【請求項５】
前記バイオニック構造（５、６）の数があらかじめ定められることを特徴とする請求項１〜４の何れか一項に記載のサボ（２）。
【請求項６】
前記サボ（２）の材料が、軽金属、金属及び／又はプラスチックであることを特徴とする請求項１〜５の何れか一項に記載のサボ（２）。
【請求項７】
請求項１〜５の何れか一項に記載のサボ（２）の製造方法において、
３Ｄ製造方法が３Ｄプリント方法であることを特徴とするサボの製造方法。
【請求項８】
請求項１〜５の何れか一項に記載のサボ（２）の製造方法において、
３Ｄ製造方法がＳＬＳであることを特徴とするサボの製造方法。
【請求項９】
請求項１〜６の何れか一項に記載のサボ（２）及びサブキャリバー砲弾（３）を有する弾薬（１）。
【請求項１０】
請求項７又は８に従って製造されたサボ（２）とサブキャリバー砲弾（３）を有する弾薬（１）。
【発明の詳細な説明】
【技術分野】
【０００１】
本発明は、小口径領域、中口径領域及び大口径領域を有するサブキャリバー（sub-caliber）運動エネルギー弾のサボ（sabot）の製造に関する。本発明は、たとえばサボ内の球形の中空室によって、重量を削減されたバイオニックサボを考慮するものである。
【背景技術】
【０００２】
高い貫通出力を得るために、いわゆるＫＥ（運動エネルギー）弾薬が使用される。弾薬は、通常、好ましくは高い強度と剛性とを有する重金属からなる、金属のペネトレータ（運動エネルギー弾薬）からなる。ペネトレータは、釘又は矢の形に似た形状を有している。そのペネトレータの口径は、それを発射する砲身よりも小さい（サブキャリバー）。砲身から発射することができるようにするために、サボが必要とされ、それがペネトレータを包囲し、かつ砲身に対して口径を保持できるようにする。サボは、砲身へ向かって射出する間粉末ガスに対して密閉する課題を引き受ける。サボの投影された面にわたって、粉末の燃焼によって生じるガス圧を用いて力がもたらされ、その力がサボを共通に加速する。
【０００３】
サボの課題は、砲身を通過する間ペネトレータを連動させ、加速をもたらし、砲身に対して密閉し、ペネトレータを案内し、かつ砲口を出た後にペネトレータを障害なしに解放することである。
【０００４】
キャリバーに応じて、サボは、プラスチック、金属又は両者を組み合わせて製造される。それぞれサボが重くなるほど、それだけ加速及びそれに伴って得られる砲口速度が減少する。したがってサボが軽くなるほど、それだけ砲口速度が高くなり、かつそれだけ達成可能な戦闘距離が長くなる。戦闘距離が等しければ、ペネトレータのより大きい進入深さ／貫通出力を得ることができる。
【０００５】
実際においては、戦車砲弾のためにサボ用の材料として高強度アルミニウム又は充填プラスチック（packed plastic）が使用される。さらに重量削減するために、孔、スリットなどが製造される。
【０００６】
特許文献１からは、サブキャリバー運動エネルギー砲弾が知られており、そのサボは繊維強化されたプラスチックからなる。サボ底には開口部が設けられている。繊維強化された材料は、炭素繊維強化されたプラスチック又は炭素繊維強化された炭素である。プラスチック用の他の強化繊維は、アラミド繊維又はポリエチレン繊維とすることができる。アルミニウム、マグネシウム又はチタンのような金属のための強化繊維は、特にＡｌ２Ｏ３繊維又はＳｉＣ繊維である。
【０００７】
サブキャリバー運動エネルギー砲弾用のサボは、特許文献２に開示されている。サボの材料は、プレストレス（prestress）を有するセラミック又はガラスでる。プレストレスを有するガラス又は、しかるべき挙動を有する他のセラミック物質は、きわめて高い機械的強度を有している。サボの分解は、サボの内壁に対して投げつけられる質量によって導入される。質量自体は中空室内に収容されている。
【０００８】
分解可能な砲弾ガイドを有するサブキャリバー運動エネルギー砲弾は、特許文献３に開示されている。圧縮強度と引張強度を維持しながらより少ない死重量（low dead weight）を得るために、砲弾ガイドはプラスチック結合材料又はガラス結合材料を有する中空ガラス球からなるプレス部品として製造される。代替的にガラス発砲体又は統語的な発砲体も挙げられる。
【０００９】
特許文献４に示すサボは、材料発砲体からなる完全な、しかし少なくとも部分的な構造を特徴としている。材料発砲体は、アルミニウム発砲体、亜鉛発砲体、フォーミナルのような、金属発砲体とすることができ、その場合に材料発砲体は同一又は他の材料、強化された繊維材料及び／又は他の材料からなるコアの層を有するサンドイッチ構成部品として使用することができる。
【００１０】
プラスチック／繊維複合体の場合には、時効、粉末との化学的融和性、ＵＶ照射に対する抵抗力のなさなどが、製造における高いコストと結びつく欠点としてあげられる。弾の取り扱い（落下、弾薬容器内への移動の間の振動）において要請される鈍感性が問題となる。
【先行技術文献】
【特許文献】
【００１１】
【特許文献１】独国特許出願公開第１９６２５２７３（Ａ１）号明細書
【特許文献２】独国特許第２９２４０４１（Ｃ２）号明細書
【特許文献３】独国特許出願公開第３０３４４７１（Ａ１）号明細書
【特許文献４】特国特許出願公開第１０２００９０４９４４０（Ａ１）号明細書
【発明の概要】
【００１２】
本発明の課題は、最大砲口速度を維持しながら充分な環境抵抗力を有する、低コストで製造可能な、導入されるシステムに対して軽減された重量のサボ部分を保証できることである。
【００１３】
この課題は請求項１の特徴によって解決される。
【００１４】
本発明は、サボもしくはサボ部分をバイオニック構造を用いて重量を削減して製造するという考えに基づいており、この構造がサボもしくはサボ部分の充分な安定性などを保証する。その場合にこの構造は、製造方法において初めて調節される。すなわち製造方法によって、バイオニック構造（たとえばハニカム、ステイ、ボイド、球状の中空室及びそれらの組合せ）は、それらが製造の際に放置されることによって製造される。
【００１５】
この種の方法はたとえば、たとえばプラスチックからなる３Ｄプリント方法あるいはレーザー焼結方法とすることができる。プラスチック−レーザー焼結を用いて、プラスチックからなるバイオニック構造を有するサボ又はサボ部分もしくはサボセグメントを製造することができる。金属レーザー焼結は、たとえばアルミニウムのような、金属からなるバイオニック構造を有するサボ又はサボ部分もしくはサボセグメントの製造を可能にする。その場合に範囲は、軽金属から超合金までにいたる。この考えからは３Ｄコクーナー（3D cocooners）による製造も、同様に排除されないが、この方法はかなり煩雑に思われる。その場合にハンドリングスピンノズルからバイオニック構造が製造される。実際にそのためにグラス繊維が、同時にＵＶ硬化樹脂でラミネートしながら複雑な構造になるように接着される。
【００１６】
サボもしくはサボセグメントは、バイオニック構造によって、重量を最大に削減しながらパイプ通過のために必要な強度と剛性を得る。
【００１７】
この種の方法の利点は、中空室などを定めることができるように製造することにある。中空室の大きさと形状（容積）に直接影響を与えることができる（３Ｄにおけるプログラミング）。サボもしくはサボセグメント（サボ部分）内部の数もしくは量と分配にも、直接影響を与えることが可能である。
【００１８】
提案されるサボ内にバイオニック構造が設けられており、その構造はサボを製造する際に３Ｄ製造方法によってサボの内部に定められた大きさ、形状及び／又は容積で、かつ目的に合わせて製造もしくは初めて提供される。その場合にサボ内部の場所的な埋め込み及びバイオニック構造の数、すなわちサボ内部の場所的及び数的な埋め込みが、目的に合わせられる。
【００１９】
図面を有する実施例を用いて、本発明を詳細に説明する。
【図面の簡単な説明】
【００２０】
【図１】サボ２とペネトレータ３を有する弾薬１を示している。
【発明を実施するための形態】
【００２１】
サボ２は、ペネトレータ３を包囲し、かつ少なくとも形状結合領域４内でペネトレータ３と結合可能である。形状結合領域４は、ねじを有することができる（詳細に図示せず）。サボ２は、複数のセグメント２．１、２．２からなることができ、それらはシールバンド及び／又はガイドバンド（詳しく図示せず）を介してまとめることができる。
【００２２】
重量を削減するために、セグメント化されたサボ２．１、２．２はバイオニック構造５を有している。バイオニック構造５として、ハニカム、ステイ、ボイド、中空室及びそれらの組合せが定められる。その場合に中空室６は、球状であっても、角張ったりしていてもよい。
【００２３】
サボ２もしくはサボセグメント２．１、２．２は、３Ｄプリントで、又はＳＬＳ方法（レーザー焼結）で製造することができる。そのためにサボセグメント２．１、２．２の幾何学的データが３次元で存在し、かつ層データとして格納される。
【００２４】
さらに、金属レーザー焼結する場合に、幾何学的データから鋳造モデル（詳しく図示せず）が製造される。サボセグメント２．１、２．２の存在するＣＡＤデータ（たとえばＳＴＬフォーマット）から、その後サボセグメント２．１、２．２が層から層へ層構造で構築される。これらの層内に領域が切り欠かれるので、その後サボセグメント２．１、２．２内にバイオニック構造５、たとえば球状の中空室６が、形状、大きさ及び容積において定められたように、製造される。
【００２５】
３Ｄプリントにおいては、鋳造型なしでサボセグメント２．１、２．２の層構築が層状に行われる。そのためにサボセグメント２．１、２．２のバイオニック構造５、６が３次元のデータで存在し、かつそれが層から層へ構築される。
【図１】
2019520545.tif 000003
【国際調査報告】
2019520545.tif 000004
2019520545.tif 000005
2019520545.tif 000006
2019520545.tif 000007
2019520545.tif 000008
2019520545.tif 000009